(57)【特許請求の範囲】
【請求項１】
キャリッジと、キャリッジを駆動する駆動手段と、キャリッジを固定する固定ピンとを備えた画像処理装置において、
前記固定ピンで前記キャリッジを固定するとともに前記固定ピンを着脱可能な固定位置と、この固定位置にある固定ピンを検出する検出手段と、この検出手段で前記固定位置の固定ピンが検出されているときには、前記駆動手段の動作を禁止する制御手段とを備えたことを特徴とする画像処理装置。
【請求項２】
前記検出手段は、前記駆動手段への電源のＯＮ／ＯＦＦを兼ね、前記固定位置の固定ピンを検出するときは、前記電源をＯＦＦとすることを特徴とする請求項１記載の画像処理装置。
【請求項３】
キャリッジと、キャリッジを駆動する駆動手段と、キャリッジを固定する固定ピンとを備えた画像処理装置において、
前記固定ピンで前記キャリッジを固定するとともに前記固定ピンを着脱可能な固定位置と、前記キャリッジの固定を解除するために前記固定位置から取り外した固定ピンを保持するとともに固定ピンを着脱可能な保存位置と、この保存位置に固定ピンが保持されているか検出する検出手段とを備え、前記検出手段で前記保存位置の固定ピンが検出されているときは前記駆動手段を駆動可能とし、検出されないときは前記駆動手段の動作を禁止することを特徴とする画像処理装置。
【請求項４】
記録部を備え、前記検出手段は、装置筐体を開放したときに、前記駆動手段と記録部への電源供給を遮断する電源遮断手段を兼ねることを特徴とする請求項３記載の画像処理装置。
【請求項５】
前記検出手段は、前記駆動手段への電源のＯＮ／ＯＦＦを兼ね、前記保存位置の固定ピンを検出するときは、前記電源をＯＮとすることを特徴とする請求項３記載の画像処理装置。
【発明の詳細な説明】
【０００１】
【発明の属する技術分野】
この発明は、コピー機やファクシミリ等に使用される画像処理装置に関する。
【０００２】
【従来の技術】
画像処理装置としてのフラットベッドスキャナ（ＦＢＳ）、或いはＦＢＳを備えたファクシミリ、デジタルコピー機、ファクシミリ機能とコピー機能を併有する複合機では、輸送中にキャリッジ（例えばミラーキャリッジ）が動いて破損しないように、キャリッジをピンやネジで固定している。装置の設置時には、それらのピンやネジを取り外して、キャリッジが動くようにする。
【０００３】
例えば図７（上部のみ示す斜視図）に示すような複合機は、装置筐体５０の上部にＦＢＳ５１が配置され、このＦＢＳ５１にカバー５２が開閉可能にヒンジ連結され、更にＦＢＳ５１の端部に原稿自動給紙装置（ＡＤＦ）５３が取付けられ、ＦＢＳ５１の手前側に操作部５４が一定に設けられている。ＦＢＳ５１の上面は原稿読取面（ガラス面）５５になっており、原稿読取時に読取面５５の下側をミラーキャリッジ（図示せず）が移動する。そのミラーキャリッジは、輸送中に動いて破損しないように、輸送時にはネジ６０により４カ所で固定されている。装置の設置時には、４カ所のネジ６０を外し、ミラーキャリッジの固定を解除する。
【０００４】
【発明が解決しようとする課題】
ところが、装置の設置後にキャリッジをピンやネジで固定したまま装置を動作させてしまうことがある。この場合、キャリッジを駆動するモータが回転しようとしても、キャリッジが動かないので、モータの駆動をキャリッジに伝える動力伝達機構部のベルトが脱落したり、同機構部のギアが歯飛びを起こしたり、モータが損傷したりする他、キャリッジの位置がずれたりする問題が生じる。
【０００５】
この発明は、そのような問題点に着目してなされたものであって、キャリッジが固定されているときはキャリッジに係る機構部の動作を禁止する画像処理装置を提供することを目的としている。
【０００６】
【課題を解決するための手段】
前記目的を達成するために、この発明の請求項１記載の画像処理装置は、キャリッジと、キャリッジを駆動する駆動手段と、キャリッジを固定する固定ピンとを備えたものにおいて、前記固定ピンで前記キャリッジを固定するとともに前記固定ピンを着脱可能な固定位置と、この固定位置にある固定ピンを検出する検出手段と、この検出手段で前記固定位置の固定ピンが検出されているときには、前記駆動手段の動作を禁止する制御手段とを備えたことを特徴とする。
【０００７】
この画像処理装置では、キャリッジが固定ピンで固定されているときは、その固定ピンが検出手段で検出され、キャリッジを駆動する駆動手段（モータ）の動作が制御手段により禁止されるため、駆動手段や駆動手段からキャリッジに至る動力伝達機構部の損傷、キャリッジの位置ずれを防止することができる。
【０００８】
また、請求項３記載の画像処理装置は、キャリッジと、キャリッジを駆動する駆動手段と、キャリッジを固定する固定ピンとを備えたものにおいて、前記固定ピンで前記キャリッジを固定するとともに前記固定ピンを着脱可能な固定位置と、前記キャリッジの固定を解除するために前記固定位置から取り外した固定ピンを保持するとともに固定ピンを着脱可能な保存位置と、この保存位置に固定ピンが保持されているか検出する検出手段とを備え、前記検出手段で前記保存位置の固定ピンが検出されているときは前記駆動手段を駆動可能とし、検出されないときは前記駆動手段の動作を禁止することを特徴とする。
【０００９】
この画像処理装置では、キャリッジの固定を解除したときに固定ピンを保存位置に保持するようになっているので、固定ピンが保存位置に保持されていないときは、キャリッジが固定ピンにより固定されているものと見なされる。このときは、検出手段が保存位置にて固定ピンを検出しないので、駆動手段の駆動が禁止される。一方、キャリッジの固定が解除され、固定ピンが保存位置に保持されているときは、検出手段で固定ピンが検出されるので、駆動手段の駆動が可能となる。この構成によると、キャリッジの固定を解除した後は、固定ピンを保存位置に仕舞っておけるので、固定ピンの紛失を防げる。
【００１０】
後者の装置において、記録部（プリンタ）を配備し、装置筐体を開放したときに、検出手段が駆動手段と記録部への電源供給を遮断する電源遮断手段を兼ねることとすれば、検出手段が記録部のインターロックスイッチ（装置筐体の側面等に設けられたカバーを開けるなどして装置筐体が開放されているときに、装置が動作しないよう電源を遮断するスイッチ）のアクチュエータを兼ねることができる。
【００１１】
【発明の実施の形態】
以下、実施の形態により、この発明を更に詳細に説明する。
【００１２】
一実施形態に係る画像処理装置の構成をブロック図で図１に示す。ここでは、画像処理装置を備えたファクシミリ機能及びコピー機能を併有する複合装置を例にしてある。
【００１３】
図１において、ＭＰＵ（中央処理装置）１は、この複合装置全体を制御する機能の他に、後記キャリッジ固定ピン検出センサ（検出手段）９で固定ピン（固定手段）が検出されているときには、キャリッジモータ（駆動手段）５の動作を禁止する制御手段としての機能を有する。
【００１４】
このＭＰＵ１には、ＮＣＵ（Ｎｅｔｗｏｒｋ  Ｃｏｎｔｒｏｌ  Ｕｎｉｔ）２、ＭＯＤＥＭ３が接続されている。ＮＣＵ２は、ＭＰＵ１により制御されて、回線Ｌとこの複合装置との接続を制御すると共に、通信相手の電話番号に応じたダイヤルパルスを送出する機能及び着信を検出する機能を有する。なお、回線Ｌは図示されていない一般公衆電話回線に接続されている。ＭＯＤＥＭ３は、送受信データの変復調、具体的には本来はデジタル信号である送信データをアナログの音声信号に変調してＮＣＵ２を介して回線Ｌに送出し、また逆に回線ＬからＮＣＵ２を介して受信したアナログの音声信号をデジタル信号に復調する。
【００１５】
また、ＭＰＵ１には、読取機構駆動回路４、読取画像処理回路６、プリンタ（記録部）８、ＲＯＭ１０、ＲＡＭ１１、画像メモリ１２、ＣＯＤＥＣ（符号化・復号器：Ｃｏｄｅｒ  ａｎｄ  Ｄｅｃｏｄｅｒ  ）１３、操作部１４、表示部１５が接続されている。
【００１６】
読取機構駆動回路４は、フラットベッドスキャナ（ＦＢＳ）の読取面上に載せた原稿の画像を読み取るときにミラーキャリッジ等を動作させるための回路であり、キャリッジモータ５に駆動信号を出力する。読取画像処理回路６は、スキャナとしての例えばＣＣＤ７が読み取った原稿画像を２値化処理するなどの画像処理を行う。
【００１７】
プリンタ８は、受信画データ、ＣＣＤ７が読み取った画データ、又は画像メモリ１２に記憶された画データを用紙に印字することにより記録してハードコピー出力を行う。
【００１８】
ＲＯＭ１０は、この複合装置全体の動作を制御するためのプログラム等を予め記憶してある。ＲＡＭ１１は、ＭＰＵ１による制御に必要なデータ及び制御動作時に一時記憶が必要なデータ等を記憶する。画像メモリ１２は、ＣＣＤ７が読み取った画データを記憶し、また外部から回線Ｌ及びＭＯＤＥＭ３を介して受信した画データを記憶する。
【００１９】
ＣＯＤＥＣ１３は、画像メモリ１２に記憶された送信すべき画データを符号化し、また受信した画データを復号して画像メモリ１２に記憶する。操作部１４は、電話番号やＦＡＸ番号等の数字を入力するためのテンキー、種々の動作を指示するための操作キー等を有する。表示部１５は、操作部１４の操作により入力された電話番号やＦＡＸ番号、プリンタ８のトナー残量等の種々の情報をソフトコピー出力して表示する。この表示部１５としては、ＣＲＴディスプレイやＬＣＤ（液晶表示装置）が用いられる。
【００２０】
また、この複合装置では、キャリッジを固定するピンを検出するセンサ９が設けられ、このセンサ９の検出信号がＭＰＵ１に取り込まれる。ここでは、図示していないが、キャリッジが固定ピンで固定された状態のときに、センサ９が固定ピンを検出するように設定されている。ＭＰＵ１は、センサ９で固定ピンが検出されているときは、読取機構駆動回路４にキャリッジモータ５の動作を禁止する指令を出し、キャリッジモータ５は動作しない。
【００２１】
次に、この複合装置において、固定ピンによるキャリッジの固定の有無に係る動作について、図２のフロー図を参照して説明する。装置設置後に電源がＯＮになると、まずステップＳＴ１において、初期化を行う。続いて、ステップＳＴ２において、センサ９が固定ピンを検出したかどうか、すなわちキャリッジが固定ピンで固定されているのか判定する。この判定の結果、センサ９がＯＮのときは、キャリッジが固定ピンにより固定されたままであるので、ステップＳＴ３において、“キャリッジ固定ピンを取り除いて下さい”を表示部１５に表示し、ステップＳＴ４において、読取機構駆動回路４を通じてキャリッジモータ５の駆動を禁止する。
【００２２】
これに対して、センサ９が固定ピンを検出しない場合、すなわちキャリッジの固定が解除されている場合は、ステップＳＴ５において、読取機構駆動回路４を通じてキャリッジモータ５の駆動を許可し、ステップＳＴ６において、キャリッジを平常どおり動作させる正常動作（ＣＣＤ７による読取動作等）を行う。
【００２３】
別実施形態に係る画像処理装置の構成を図３に示す。但し、図１と同じ要素には同一符号を付してあり、同じ要素の説明は省略する。この装置では、装置筐体３０において、固定ピン３１でキャリッジを固定する固定位置Ａの下方に検出手段としてのスイッチ２１が配置され、このスイッチ２１を介して電源２０と読取機構駆動回路４が接続されている。固定位置Ａは、例えば固定ピン３１を差し込む穴である。ここでは、固定位置Ａに固定ピン３１が有るときは、固定ピン３１によりスイッチ２１がＯＦＦになり、電源２０が遮断されるように設定されている。
【００２４】
従って、キャリッジが固定ピン３１で固定されているときは、電源２０が遮断されるので、キャリッジを固定ピン３１で固定したままの場合は、キャリッジモータ５は動作しない。勿論、固定ピン３１を固定位置Ａから外せば、キャリッジの固定が解除されるとともに、スイッチ２１がＯＮになり、電源２０が接続され、キャリッジモータ５の動作が可能となる。
【００２５】
更に別実施形態に係る画像処理装置の構成を図４に示す。この装置では、図３の装置に比較して、固定ピン３１の固定位置Ａに加えて、固定ピン３１を保持する保持手段として保存位置Ｂが設けられている点が異なる。また、スイッチ２１は保存位置Ｂの下方に配置され、この保存位置Ｂに固定ピン３１が有るときに、固定ピン３１によりスイッチ２１がＯＮになり、電源２０が接続されるように設定されている。
【００２６】
この場合、固定位置Ａに固定ピン３１が有るとき、すなわち固定ピン３１でキャリッジが固定されているときは、スイッチ２１はＯＦＦであって、電源２０が遮断されているので、キャリッジモータ５は動作しない。キャリッジの動作を可能とするには、固定位置Ａから固定ピン３１を外し、その外した固定ピン３１を保存位置Ｂに差し込む必要がある。つまり、キャリッジを動作させるためには、固定位置Ａから外した固定ピン３１は必ず保存位置Ｂに差し込まなければならず、固定ピン３１の紛失を防止できる。
【００２７】
更に別実施形態に係る画像処理装置の構成を図５に示す。この装置は図４の装置と似ているが、スイッチ２１が読取機構駆動回路４だけでなく、プリンタ８にも接続されている。この場合、スイッチ２１は、図示しないカバーを開放したときプリンタ８への電源供給を遮断する電源遮断手段、すなわちプリンタ８のインターロックスイッチのアクチュエータを兼ねることになる。
【００２８】
更に別実施形態に係る画像処理装置の構成を図６に示す。この装置では、スイッチ２１のＯＮ／ＯＦＦと電源２０の接続／遮断は別であり、保存位置Ｂに固定ピン３１が有るときは、スイッチ２１がＯＮになり、その信号がＭＰＵ１に取り込まれ、ＭＰＵ１が読取機構駆動回路４を介してキャリッジモータ５の動作を許可する。
【００２９】
これらの実施形態の画像処理装置によれば、いずれもキャリッジが固定ピン３１で固定されているときは、キャリッジモータ５が動作しないので、モータ５の損傷、モータ５とキャリッジとの間の動力伝達機構部におけるベルトの脱落及びギアの歯飛び、キャリッジのずれ等の問題が起こらず、信頼性が高い。しかも、固定ピン３１を保持する保存位置Ｂを設けてある場合、キャリッジの固定解除のときの固定ピン３１の紛失を防止できる。
【００３０】
【発明の効果】
以上説明したように、この発明の請求項１記載の画像処理装置によれば、キャリッジが固定ピンで固定されているときは、キャリッジを駆動する駆動手段（モータ）の動作が禁止されるため、駆動手段や駆動手段からキャリッジに至る動力伝達機構部の損傷、キャリッジの位置ずれを防止することができる。
【００３１】
また、請求項３記載の画像処理装置によれば、固定ピンが保存位置に保持されていないと、駆動手段の動作が禁止されるので、すなわちキャリッジの固定解除のときは、固定ピンを保存位置に保持しておかないと、駆動手段の動作が可能とならないので、固定ピンの紛失を防止できる。勿論、駆動手段や動力伝達機構部の損傷、キャリッジの位置ずれも防止できる。
【００３２】
請求項４の構成とすれば、検出手段が記録部のインターロックスイッチのアクチュエータを兼ねることができる。
【図面の簡単な説明】
【図１】一実施形態に係る画像処理装置の構成を示すブロック図である。
【図２】同画像処理装置において、固定ピンによるキャリッジの固定の有無に係る動作を示すフロー図である。
【図３】別実施形態に係る画像処理装置の構成を示すブロック図である。
【図４】更に別実施形態に係る画像処理装置の構成を示すブロック図である。
【図５】更に別実施形態に係る画像処理装置の構成を示すブロック図である。
【図６】更に別実施形態に係る画像処理装置の構成を示すブロック図である。
【図７】ファクシミリ機能とコピー機能を兼有する複合機の上部のみの斜視図である。
【符号の説明】
１      ＭＰＵ（制御手段）
４      読取機構駆動回路
５      キャリッジモータ（駆動手段）
８      プリンタ（記録部）
９      キャリッジ固定ピン検出センサ（検出手段）
２０    電源
２１    スイッチ（検出手段）
３０    装置筐体
３１    固定ピン
Ａ      固定位置
Ｂ      保存位置
【図１】
0003632661.tif 000002
【図２】
0003632661.tif 000003
【図３】
0003632661.tif 000004
【図４】
0003632661.tif 000005
【図５】
0003632661.tif 000006
【図６】
0003632661.tif 000007
【図７】
0003632661.tif 000008